(57)【要約】      （修正有）【課題】同軸度を伴うシャフト・ハブ接続をわずかな生成費用で創出する。【解決手段】シャフト１０及びハブ１２を伴う真空ポンプを有するシステムに関し、少なくとも１つの第一外周部において、シャフト及びハブが、相応する複数のセンタリング面を有し、これらセンタリング面が共に第一センタリング手段を形作り、第一外周部と異なる少なくとも１つの第二外周部において、少なくとも１つの連行体２０がハブに、且つ、連行体に相応する少なくとも１つの凹部１８がシャフトに設けられていて、連行体がトルク伝導のための凹部に係合し、及び連行体が周方向において相互に分離された２つの側壁を有し、これら側壁が相応する凹部の内壁と協働して、且つこれら内壁と共に周方向において、第一センタリング手段から分離された第二センタリング手段を形作る。【選択図】図２
2019049349.tif 000002
【特許請求の範囲】
【請求項１】
シャフト（１０）及びハブ（１２）を有するシステム、特に電気モータ又は電気モータを伴う真空ポンプであって、シャフト（１０）及びハブ（１２）が少なくとも１つの第一外周部において、相応するセンタリング面（２４、２６）を有し、このセンタリング面が共に第一センタリング手段を形作り、第一外周部と異なる少なくとも１つの第二外周部において、少なくとも１つの連行体（２０）がハブに設けられ、及びシャフト（１０）に少なくとも１つの凹部（１８）が設けられ、この凹部（１８）が連行体（２０）に相応し、又は逆に、連行体がシャフトに、及び凹部がハブに設けられ、及び連行体（２０）がトルク伝導の為の凹部（１８）に係合し、且つ、連行体（２０）が、周方向において相互に分離された２つの側壁（３０）を有し、この側壁が凹部（１８）の相応する内壁（３２）と協働し、及びこれら内壁（３２）と共に、周方向において第一センタリング手段から分離された第二センタリング手段を形作っているシステム。
【請求項２】
センタリング手段は其々、ハブ（１２）が、シャフト（１０）から少なくとも基本的に非破壊に分解可能であるように、形成されていることを特徴とする請求項１に記載のシステム。
【請求項３】
第二センタリング手段において協働する平面（３０、３２）が、第一センタリング手段において協働する平面（２４、２６）より小さいことを特徴とする請求項１又は２に記載のシステム。
【請求項４】
第一センタリング手段が隙間嵌め、滑り嵌め又は締り嵌めを有することを特徴とする請求項１〜３の少なくともいずれか一つに記載のシステム。
【請求項５】
第二センタリング手段が、締り嵌めを有することを特徴とする請求項１〜４の少なくともいずれか一つに記載のシステム。
【請求項６】
連行体（２０）の複数の側壁（３０）の１つと、第一センタリング手段の相応するセンタリング面（２６）の間の少なくとも１つの外周域に、凹部（２８）が形成されていることを特徴とする請求項１〜５の少なくともいずれか一つに記載のシステム。
【請求項７】
複数の第一センタリング手段及び複数の第二センタリング手段が、周方向において、交互に入れ替わるように設けられていて、特に第一センタリング手段の数ｎが、第二センタリング手段の数ｎと等しく、及び有利にはにはｎ＝２、３又は４が該当することを特徴とする請求項１〜６の少なくともいずれか一つに記載のシステム。
【請求項８】
連行体（２０）が、連行体ヘッド（３４）を有し、この連行体ヘッドは、脇が面取りされている、又はＲ付けされていることを特徴とする請求項１〜７の少なくともいずれか一つに記載のシステム。
【請求項９】
連行体（２０）が、相応する凹部（１８）の底部（３８）から分離されていることを特徴とする請求項１〜８の少なくともいずれか一つに記載のシステム。
【請求項１０】
連行体（２０）が、ハブ（１２）又はシャフト（１０）と一体形成されていることを特徴とする請求項１〜９の少なくともいずれか一つに記載のシステム。
【請求項１１】
ハブ（１２）が、重ねられた同一形状の複数の薄板を有し、有利には、連行体（２０）を含む薄板が、其々、穿孔器によって生成され、且つ、特に連行体の側壁（３０）が、穿孔後、非加工であることを特徴とする請求項１〜１０の少なくともいずれか一つに記載のシステム。
【請求項１２】
特に電気モータのための、望ましくは、真空ポンプの電気モータのためのシャフト・ハブ接続の生成方法であって、其々、少なくとも１つの第一外周部において、シャフト（１０）及びハブ（１２）に、複数のセンタリング面は、接続された状態で協働し、及びに第一センタリング手段を形作るように、形成されていて、シャフト（１０）及びハブ（１２）に、其々、第一外周部と異なる少なくとも１つの二外周部において、連行体（２０）又は連行体（２０）に相応する凹部（１８）は、接続された状態で連行体（２０）が、トルク伝導の為の凹部に係合するように、形成されていて、且つ、連行体（２０）に、周方向において分離された２つの側壁（３０）及び凹部（１８）内で側壁（３０）に相応する内壁（３２）は、側壁（３０）及び内壁（３２）が、共に第二センタリング手段を形作るように、形成されていることを特徴とするシャフト・ハブ接続の生成方法。
【請求項１３】
第一センタリング手段のセンタリング面（２６）が、少なくともハブ（１２）に、切削加工によって生成されることを特徴とする請求項１２に記載の方法。
【請求項１４】
ハブ（１２）が、複数の同一形状薄板の層から構設されることを特徴とする請求項１２又は１３に記載の方法。
【請求項１５】
連行体（２０）を含む薄板が、其々、穿孔器によって生成されて、特に連行体（２０）の側壁（３０）が、穿孔後、非加工のままであることを特徴とする請求項１４に記載の方法。
【発明の詳細な説明】
【技術分野】
【０００１】
本発明は、シャフト及びハブ、特に電気モータ又は電気モータを伴う真空ポンプを有するシステムに関する。本発明は、シャフト・ハブ接続の生成の為の方法にも関し、特に電気モータ、有利には真空ポンプの電気モータの為の方法に関する。
【背景技術】
【０００２】
多くのシャフト・ハブ接続が公知であり、これらシャフト・ハブ接続は、トルクを形状結合的、又は力結合的にシャフトからハブへ伝導でき、又はその反対に、ハブからシャフトへ伝導できる。
【発明の概要】
【発明が解決しようとする課題】
【０００３】
力結合的結合は、例えば張力要素といった外的要素の使用等によって、又は締り嵌めによって実現される。外的要素は、例えば繰り返し、取り外し可能であるが、一方で構造を高額化し、及び他方で、ハブ及びシャフトの同軸度を悪化する。何故なら、外的要素自体が製造公差によって制約されているからである。締り嵌めは、例えば短手方向の締り嵌め又は長手方向の締り嵌めで継ぎ合わされ得る。円柱状の、又は円錐形の短手方向の締り嵌めを介して実現される結合の同軸度は、比較的に正確ではあるものの、しかしながら、取り付け作業及び取り外し作業の為には、オイル圧力構築の為に、特別なオイル圧縮機などが必要とされる。その上、ハブは、基本的に中実材料から製作されなくてはならず、且つシャフト又はハブは特別なオイル供給口及び結合される平面の間におけるオイル分配用の導管を必要とする。円柱状又は円錐形長手方向の締り嵌めを介して実現される結合の同軸度は、同じく比較的正確であるが、大抵の場合、取り外された結合のハブ及びシャフトは繰り返し使用されない。
【０００４】
形状結合的結合は、この結合が例えば繰り返し取り外し可能であるべき限りにおいて、スプライン軸受結合、マシンキー結合、又は多角形成形結合等として実行され得る。これら全ての結合種類において、ハブの同軸度の誤差は比較的大きい。スプライン軸受結合の場合、又は多角形成形結合の場合、シャフト及びハブは、程度に違いこそあるものの、複雑で及びコスト高な加工に託される。
【０００５】
良好な同軸度を伴うシャフト・ハブ接続を、特に、僅かな生成費用、取り付け作業費用及び／又はメンテナンス費用において創出することが本発明の課題である。
【課題を解決するための手段】
【０００６】
この課題は、請求項１に記載のシステムによって解決され、及び特に、シャフト及びハブは、少なくとも１つの第一外周部において、相応するセンタリング面を有し、これらセンタリング面は、共に第一センタリング手段を形作っていて、第一外周部と異なる少なくとも１つの第二外周部において、ハブに設けられた少なくとも１つの連行体、及び連行体に相応する少なくとも１つの凹部がシャフトに設けられ、又はその逆に、ハブに設けられた少なくとも１つの凹部、及び凹部に相応する少なくとも１つの連行体がシャフトに設けられ、且つ、連行体はトルク伝導の為の凹部に係合し、且つ、連行体は、周方向において相互に分離された２つの側壁を有し、これら側壁は、相応する凹部の内壁と協働して、及びこの内壁と共に、周方向において第一センタリング手段から分離された第二センタリング手段を形作っていることで、解決される。
【０００７】
本発明に係るシステムは、シャフト及びハブの間に良好な同軸度を有して、且つ特に取り付け作業に際して、外的要素無く完遂する。センタリング手段は、センタリング手段の嵌め合わせに関連して、容易に寸法付けられ、その結果、所望の結合度合が容易に生成可能である。特に、結合は、緩やかな継合力及び／又は解除力に際して、基本的に隙間なく実施される。シャフト及びハブは、その上、比較的容易に生成される。
【０００８】
本発明に係るシャフト及びハブ間の結合も、基本的に、シャフトの形状に依ることなく、つまり著しく多様なシャフト直径のために実現される。特に２つのセンタリング手段の設置は、連行体及び凹部が比較的平坦に作製されていることが可能で及び、そのことで凹部がシャフトに設置されている場合に、比較的大きな効果的シャフト直径を維持することを可能にする。これは、比較的細いシャフトにおいても、又は中空シャフトにおいて、本発明が良好な同軸度を保証し得ることを意味している。
【０００９】
ある実施形態において、センタリング手段は其々、ハブがシャフトから少なくとも基本的に非破壊に分解可能であるように、形成されている。これがシステムの整備を容易にし、及び、そのことで、システムの耐用寿命を向上させる。
【００１０】
更なる実施形態では、協働する平面は、第二センタリング手段において、第一センタリング手段における平面より、小さい。これが其々の嵌め合わせの合目的的な寸法決定を向上させ、及び継合力が、有利に設定され得る。
【００１１】
第二センタリング手段において、有利には、特に若干の又は至極若干の過量が想定され得る。連行体の側壁は、特に切削加工に関して、非加工のままであり得る。
【００１２】
第一センタリング手段は、例えば隙間嵌め、滑り嵌め、又は締り嵌めを有し得る。特に隙間嵌め、及び滑り嵌めは、シャフト及びハブの嵌合の際、第一センタリング手段の相応する平面が、ただ二義的に、可塑的に変形され、且つ少ない摩擦力を生むことを実現し得る。
【００１３】
第二センタリング手段のために、特に、若干の又は至極若干の締り嵌めが施され得る。これによって、結合は、基本的に隙間なく実施される。特に、第二センタリング手段の小さな相応する平面に結合して、締り嵌めによって、継合力は、ただ限定的に上昇して、その結果、特に第一及び第二センタリング手段の其々に相応する平面は、取り外し作業及び再度の取り付け作業が妨げられるようには、壊されない。
【００１４】
この中で使用される概念「隙間嵌め、滑り嵌め及び締り嵌め」は、一般的に該当分野で通用する意味内容に関連し、ＤＩＮ  ＩＳＯ  ２８６に等に従っている。隙間嵌めには、例えば「部材が手によって更に摺動可能」が該当し得て、及び滑り嵌めには、例えば「部材が軽度のハンマ打ち又は手によって継合可能」が該当し得る。この定義は、しかしながら、個々のセンタリング手段の嵌め合わせにのみ関係している。例えば、つまり、第一センタリング手段の為に隙間嵌め、及び第二センタリング手段の為に締り嵌めが想定され得て、その結果、結論としてシャフト及びハブは、手によってのみ摺動可能なのではない。
【００１５】
ある発展形態において、少なくとも１周縁部において、連行体の１側壁及び相応する第一センタリング手段のセンタリング面の間に、１つ凹部が形成されている。これによって、相応するセンタリング面は、より容易に製作される。
【００１６】
「相応する」という概念は、この際、連行体がハブに設置されているときは、ハブにおけるセンタリング面に関係していて、且つ、連行体がシャフトに設置されているときは、シャフトにおけるセンタリング面に関係する。凹部は、特にセンタリング面に対して、引っ込んで形成されている、つまり、連行体がハブに取設されているときは、径方向外方に、又は連行体がハブに形成されているときは、径方向内方に形成されている。
【００１７】
更なる実施形態では、周方向において、交互に入れ替わる複数の第一センタリング手段及び複数の第二センタリング手段が設置され、特に第一センタリング手段の数ｎが第二センタリング手段の数ｎに等しく、及び望ましくはｎ＝２、３又は４が当てはまる。連行体は、例えばｎ＝２又はｎ＝４の場合、相互に正反対位置で向き合い、角度間隔１２０°においてｎ＝３の場合に設置され得る。
【００１８】
特に、周方向において、連行体及び相応する一組の凹部に、一組のセンタリング面が続き得て、且つ逆に、一組のセンタリング面に、連行体及び相応する一組の凹部の組が続き得る。
【００１９】
センタリング面は其々、周方向において、例えば円弧を越えて、特におよそ四分円を越えて延在し得る。
【００２０】
更なる発展形態において、連行体は、連行体ヘッドを有し、この連行体ヘッドは脇に斜角が付され、又はＲ付けされている。これによって、凹部における連行体角の引っ掛かかり、又は停滞が回避され得る。
【００２１】
特に、連行体は、相応する凹部底部から分離されていることがあり得る。こうして、シャフト及びハブの継合時、又は分解時における拘止の確率が低減され得る。
【００２２】
更なる実施形態において、連行体は、ハブ又はシャフトと一体的に成形されている。これが、製作技術上、特段に容易な解決策を示し、且つ連行体の良好な安定性、及びそれによって確実なトルクの伝導を実現する。
【００２３】
ハブは、複数の薄板を有していて、これら薄板は重ねられ、同一形を成し、有利には、薄板が連行体と共に其々、穿孔器によって生成され、且つ特に連行体の側壁が穿孔後に非加工である場合において、ハブは特に容易に形成される。
【００２４】
本発明に係る結合の図解例は、遊びのない合致を、即ちハブの著しく良好な同軸度を、結合の反復的分解可能性に調和させている。その際、ハブは、例えば中実材料から成っている必要がない。その代わりに、電気モータの回転子として形成されたハブ等は、複数の個々の薄板から構設されていることがあり得る。結合は、例えば２つのセンタリング面を有し得て、これらセンタリング面は特に四分円を越えて延在し、ハブの同軸度を保証し、且つ、例えば２つの連行体を有し得て、これら連行体は形状結合的にモーメントをハブからシャフトに、又は逆に、シャフトからハブに伝導する。その上、連行体は、ハブの追加的なセンタリングに役立ち、このセンタリングはシャフトに相対的である。ハブが個々の薄板から生成されている場合において、例えば内側横断面は予穿孔され得て、及び続いてセンタリング面及び連行体ヘッドは、切削されつつ、例えばフライス方法によって、１つの工程中に加工され得る。
【００２５】
連行体に相応する凹部は、例えば側フライスによって生成され得て、例えば凹部端部における、張力蓄積が回避され得る。連行体の高さ及び凹部の深さは、特に安全性に関する要求度、及び素材技術的側面を考慮しながら、存在するトルクが伝導されるように、選択される。その際、効果的なシャフト直径を可能な限り大きく保持するために、可能な限り小さな凹部深さが有利であり得る。
【００２６】
連行体の１つのヘッドは、例えば斜角を付して又は斜めに形成されていることがあり得る。このことは、其々の内壁及び凹部底部間移行部において、連行体ヘッド角の停滞回避を目的としている。移行部は、製造方法に起因して、丸味を有し得る。
【００２７】
第一センタリング手段の嵌め合わせ及び／又は、連行体のヘッド及び相応する凹部の底部における嵌め合わせは、ＤＩＮ  ＥＮ  ＩＳＯ  ２８６に従って（又はＤＩＮ  ７１５７に従って）、例えばＨ７／ｈ６又はＨ６／ｈ５として、つまり隙間嵌めとして、又はＨ７／ｊ６又はＨ７／ｋ６として、つまり滑り嵌めとして、作製されていることがあり得る。嵌め合わせは、要求される同軸度及び／又は取り付け易さに依拠して選択され得る。連行体側壁、特に非加工の連行体側壁及び相応する凹部内壁間の嵌め合わせは、特に至極軽度の締り嵌めとして、形成されていることがあり得る。これは、結合中に理論的に存在する隙間の排除に繋がり得る。これによって、取り付け作業の労力、及び取り外し作業の労力が増加せしめられるものの、少量にとどまる。何故なら、可塑的に変形されるべき平面が特に比較的小さいからである。
【００２８】
本発明の課題も、本発明に係る方法、によって解決され、この方法は次の段階を有している。センタリング面は、シャフト及びハブに、其々に少なくとも１つの第一外周部において、センタリング面が接続された状態で協働し、及び第一センタリング手段を形作るように、形成される。シャフト及びハブに其々、第一外周部と異なる少なくとも１つの第二外周部において、連行体又は当該連行体に相応する凹部は、連行体が接続された状態で、トルク伝導の為に、凹部に咬合するように、形成される。連行体に、周方向においてされた２つの側壁、及び凹部中で側壁に相応する内壁は、側壁及び内壁が共に第二センタリング手段を形作るように、形成される。
【００２９】
ある実施形態において、少なくともハブに、第一センタリング手段のセンタリング面が、切削加工によって生成される。
【００３０】
他の実施形態において、ハブは、複数の同一形状の薄板の層によって、特に電気モータの為の回転子として構設される。
【００３１】
更に他の実施形態において、薄板は連行体と共に其々、穿孔器によって生成され、特に連行体の側壁及び／又は連行体ヘッドは穿孔後、非加工のままである。こうしてハブは、とりわけ容易に生成される。
【００３２】
本発明に係るシステムは、本発明に係る方法の実施形態の意味においても開発され得、及び逆に、本発明に係る方法は、本発明に係るシステムの意味、及び実施形態の意味においても開発され得る。
【００３３】
本発明は、下記において、端的に例として概略図を用いて解説される。
【図面の簡単な説明】
【００３４】
【図１】本発明に係るシャフト及びハブを有するシステムの透視画法分解図である。
【図２】本発明に係るシステムの更なる実施形態を分解図で示している。
【図３】構設状態における図２のシステムを示している。
【図４】本発明に係るシステムの更なる実施形態を、前額面に向けられた側面図で示してる。
【図５】連行体及び図４のシステムの相応する凹部を拡大して示している。
【図６】図４のシステムの更なる、拡大された部分を示している。
【図７】図７は、図４のシステムのハブを、前額面に向けられた側面図で示している。
【図８】図８は、図４のシステムのハブを、前額面に向けられた側面図で示している。
【図９】図９は、図４〜８のハブの縦断面を示している。
【発明を実施するための形態】
【００３５】
図１においてシャフト１０、ハブ１２及び保持リング１４を示している。シャフト１０は、シャフト１０及びハブ１２間の結合生成の為に、軸方向において、ハブ１２に挿入され得る。続いて、ハブ１２内で軸方向にシャフト１０を担持する為の保持リング１４が、シャフト１０のキー溝１６に挿嵌される。
【００３６】
シャフト１０は、相対しつつ軸方向に延在する２つの凹部１８を有し、この凹部は、同じく軸方向に延在する２つの連行体２０と咬合するために形成されていて、この連行体はハブ１２に設置されている。
【００３７】
シャフト１０は、縦長穿孔２２を有し、つまり、中空シャフトとして作製されている。
【００３８】
図２及び図３は、中実シャフト１０を有する実施形態を示している。
【００３９】
図４中において、構設状態におけるシャフト１０及びハブ１２を有するシステムが示されている。シャフト１０は、基本的に円柱状の周面２４を有し、その中において相対する複数面に２つの凹部１８が形成されている。凹部１８は、横断面において、基本的に矩形のキー溝として形成されていて、このキー溝はシャフト１０に沿って、図４において像平面に対して垂直に延在している。図１とは対照的に、図４のシャフト１０は、同じく中実シャフトとして作製されている。
【００４０】
ハブ１２は、２つの連行体２０を有し、これら連行体は、シャフト１０の凹部１８と咬合している。周方向において其々、連行体２０に代わって、ハブ１２は、２つのセンタリング面２６を有し、このセンタリング面は、周面２４と協働しながら、図示されているシャフト・ハブ‐システムの第一センタリング手段を形作る。この周面は、少なくともセンタリング面２６の領域で同じく、センタリング面として機能する。センタリング面２６は、この実施形態において、シャフト周囲のおよそ四分の一を越えて、つまり四分円を、およそ上回って、延在する。周方向において、センタリング面２６は、連行体２０から凹部２８によって分離されている。
【００４１】
図５は、図４の一部分を拡大図で示している。ここで、より明らかに見て取れるように、其々の連行体２０は２つの側壁３０を有し、この側壁は周方向において、相応する凹部１８の各内壁３２と、トルク伝導の為に咬合している。各連行体２０の径方向内方に向けられたヘッド３４は、脇に斜角が付され、又は面取りされていて、つまり、２つの斜面３６を有する。このことで、凹部１８における連行体２０の角の停滞又は角の引っ掛かりを、回避する。斜角が付され、又は面取りされている領域又は斜面３６の間に、連行体ヘッド３４が凹部１８の底部３８に対する隙間、つまり隙間嵌めを有する。連行体２０の側壁３０及び凹部１８の内壁３２の間で、それに対して、軽度の締り嵌めが設けられる。ただし、図３において、より明瞭な表示を目的として、各側壁３０及び相応する内壁３２間の隙間が示されている。センタリング面２６は、周面２４と共に、特に隙間嵌め又は滑り嵌めを形作る。連行体２０の側壁及び凹部１８の内壁間の締り嵌めが、他の場合に存在し得る結合における隙間を排除し、つまり基本的に隙間のない結合を実現する。
【００４２】
図５から、連行体２０及び凹部１８によって形作られた第二センタリング手段が、締り嵌めを有し、この第二センタリング手段に、単独で、相対的に小さくて、相応する平面が互いに当接し、及び第二センタリング手段を形作っていることが、特に見て取れるこれに対して、第一センタリング手段に、つまりセンタリング面２６及び周面２４の間で、相対的に大きな複数平面が、センタリングしつつ、互いに当接している。シャフト・ハブ接続の継合時に、第一センタリング手段は、継合作業に、相対的に小さな力を対置する。何故なら隙間嵌め又は滑り嵌めが設けられているからである。第二センタリング手段は、継合作業に、つまり締り嵌めに基づき、相対的にやや大きな反力を対置する。何故なら、特に連行体２０の側壁３０又は凹部１８の内壁３２の可塑的変形が実現されなくてならないからである。しかし、この反力は、限定的である。何故ならここで互いに当接する複数平面は、相対的に小さいからである。総じて必要な継合力は、つまり比較的僅かであり、及びシャフト１０及びハブ１２は、基本的にセンタリング手段を形作る平面を壊すことなく、場合によっては工具を用いて、継合され、且つ分解される。これによって、繰り返し継合可能で、且つ分解可能なシャフト・ハブ接続が生み出され、このシャフト・ハブ接続は尚且つ、特に基本的に隙間なく、及び／又はシャフト１０及びハブ１２の間に高い同軸度を有している。
【００４３】
図４の更なる拡大された部分ＩＩが、図６に示されている。この図は、周面２６がシャフト１０の周面２４に当接すること、並びに凹部２８及び周面２４間のスリットを明示している。
【００４４】
図４のハブ１２の為の模範的生成方法が図７及び図８において明示されている。その際、図８は、図７の部分ＩＩＩの拡大図を示している。ハブ１２は、ここで、重ねられた個々の薄板の積層体として形成され、この個々の薄板は、その都度、図７に示された形を有し、及び図７のハブ１２の回動軸に沿って、像平面に対して垂直に整合して重置されている。言い換えれば、図７において、即ちハブ１２の多くの個々の薄板の１つだけが顕著である。
【００４５】
図８中に、その上、不図示のエンドミルの加工輪郭が破線で示され、このエンドミルは、加工時に、同じくハブ１２の回動軸に平行して、延在する。其々における個々の薄板は、原型において穿孔され、その原型は、基本的に図７に示された形状に相応する。但し、その際、センタリング面２６に、ある一定の余剰寸法が残される。個々の薄板の重置後、センタリング面２６は、その際、破線で素描された加工輪郭に沿って動くエンドミルを介して、其々に所望の嵌め合わせに依存して加工される。連行体ヘッド３４及び連行体ヘッド３４に其々に設置された斜面３６又は斜角は、当該生成方法のこの実施形態において、個々の薄板を穿孔する際に既に形成される。但し、代替的、又は追加的に、ここでも切削加工が施され得る。凹部２８及び連行体２０の各側壁３０は、この実施形態において、同じく、切削加工されず、すでに穿孔作業の際に形成される。ここでも、但し、切削加工が施され得る。
【００４６】
図９中において、ハブ１２は縦断面で示されていて、この縦断面は図７中に素描された断面Ａ―Ａに沿って展開している。この実施形態において、連行体２０、凹部２８及びセンタリング面２６が軸方向に延在する様子が、ここから見て取れる。図９中、ハブ１２は、単純化され、中実材料に相応して、ハッチングが付されているが、上述のように、個々の薄板の積層体として作製されている。但し、代替的には、中実材料も考慮され得る。その際、例えば、ハブ１２の全輪郭は、切削生成されていることもあり得る。
【００４７】
ハブ１２の為のシャフト１０は、例えば、その原型において回転部材として生成されていることもあり得る。凹部１８は、例えば側フライスによって及び／又は丸鋸によってシャフト１０内に欠設され得る。これによって、製造過程後、切子が凹部１８中に残らないことなどが確保され得る。これら切子は、シャフト１０をハブ１２に対して拘止し得、及び継合又は非破壊の分解を阻止する可能性を有する。
【符号の説明】
【００４８】
１０    シャフト
１２    ハブ
１４    保持リング
１６    凹部
１８    凹部
２０    連行体
２２    縦長穿孔
２４    周面
２６    周面
２８    凹部
３０    側壁
３２    内壁
３４    ヘッド
３６    斜面
３８    凹部底部
【図１】
2019049349.tif 000003
【図２】
2019049349.tif 000004
【図３】
2019049349.tif 000005
【図４】
2019049349.tif 000006
【図５】
2019049349.tif 000007
【図６】
2019049349.tif 000008
【図７】
2019049349.tif 000009
【図８】
2019049349.tif 000010
【図９】
2019049349.tif 000011
【外国語明細書】
2019049349000001.pdf